(57)【要約】選択された場所で手で係合することができるプルタブを形成するために、延伸剥離接着テープの細長いストリップに接着され得る単一のタブフィルムを有するキットが記載される。このようなプルタブは、目立たない外観を含むように折り畳み可能であってよく、延伸剥離を活性化するためにプルタブが把持されるように、伸長可能であってもよい。
2010531916.tif 000002
【特許請求の範囲】
【請求項１】
突出したプルタブを備える複数の延伸剥離接着テープを提供するためのキットであって、
対向する第１及び第２の主表面を有し、両表面が接着剤を含み、前記表面のうちの少なくとも１つが取り外し可能なライナーを支持する、延伸剥離テープの連続ロールと、
複数の分離したタブフィルム片と、を含み、
前記タブフィルム片のそれぞれが、対向する第１及び第２の主表面を含み、その少なくとも１つが接着可能な表面である、キット。
【請求項２】
前記延伸剥離テープ及び前記タブフィルム片が、共にパッケージ化される、請求項１に記載のキット。
【請求項３】
前記タブフィルム片が、前記延伸剥離テープと共にパッケージ化されるディスペンサー内に提供される、請求項２に記載のキット。
【請求項４】
前記テープのロールが、芯を含み、前記ディスペンサーが、前記芯に取り付けられる、請求項３に記載のキット。
【請求項５】
前記ディスペンサーが、前記テープのロールが巻き付けられる芯を含む、請求項３に記載のキット。
【請求項６】
前記タブフィルム片が、折り畳まれた状態でパッケージ化される、請求項１に記載のキット。
【請求項７】
前記タブフィルムのそれぞれが、少なくとも１つの折り目を含む、請求項６に記載のキット。
【請求項８】
前記タブフィルム片が、Ｚ型に折り畳まれた状態でパッケージ化される、請求項１に記載のキット。
【請求項９】
前記タブフィルムのそれぞれが、少なくとも２つの折り目を含む、請求項８に記載のキット。
【請求項１０】
前記折り目が、対向して付勢される、請求項８に記載のキット。
【請求項１１】
前記タブフィルム片が、２つのＺ型に折り畳まれた状態でパッケージ化される、請求項１に記載のキット。
【請求項１２】
前記タブフィルムのそれぞれが、少なくとも４つの折り目を含む、請求項１１に記載のキット。
【請求項１３】
少なくとも２つの前記折り目が、対向して付勢される、請求項１２に記載のキット。
【請求項１４】
前記分離したタブフィルム片が、異なる色である、請求項１に記載のキット。
【請求項１５】
前記タブフィルム接着可能表面が、感圧性接着剤への接着力を改善するための処置を含む、請求項１に記載のキット。
【請求項１６】
突出したプルタブを備える複数の延伸剥離接着テープを提供するためのキットであって、
対向する第１及び第２の主表面を有し、両表面が接着剤を含み、前記表面のうちの少なくとも１つが取り外し可能なライナーを支持する、延伸剥離テープの連続ロールと、
複数の分離したタブフィルム片と、を含み、
前記タブフィルム片のそれぞれが、対向する第１及び第２の主表面を含み、その少なくとも１つが接着可能な表面であり、
分離したタブフィルム片のそれぞれが、前記接着テープ自体のいかなる部分をも把持することなく、プルタブの突出部分を把持し、引っ張ることで、前記接着テープの延伸剥離特性が活性化され得るように、前記突出したプルタブを形成するために、延伸剥離接着テープの両主表面に付着可能である、キット。
【発明の詳細な説明】
【技術分野】
【０００１】
延伸剥離接着テープは、様々な組み立て、結合、付着、及び取り付け用途に有用である。かかるテープは、当該技術分野において周知であり、例えば、対象物を他の対象物に付着させ、いずれの対象物においても永続的に外観を損傷するか、接着剤を残留することなくその対象物を分離させることができるのが望ましいような環境において、しばしば使用される。
【背景技術】
【０００２】
米国特許第４，０２４，３１２号（コープマン（Korpman））は、接着層が積層された、高い伸長性及び弾性を有する支持体フィルムを備える非常に柔軟性が高い接着テープを開示している。支持体フィルムは、長手方向に少なくとも約２００％の破断点伸びを有する。テープは、容易に伸長可能であり、表面と実質的に平行な方向において、長手方向にテープを延伸することで表面から取り外され得る。
【０００３】
独国特許第３３  ３１  ０１６号は、熱可塑性ゴム及び粘着付与樹脂をベースとする高弾性かつ低可塑性の接着フィルムを開示しており、これは接着接合の平面の方向に接着フィルムを延伸することで破断され得る。
【０００４】
米国特許第５，５１６，５８１号（クレッケル（Kreckel）ら）は、感圧性接着剤の層と共にコーティングされ、高い伸長性を有し、実質的に非弾性である支持体を有する取り外し可能な接着テープを開示している。接着テープは、基材表面と実質的に平行な方向にテープを延伸することで、基材を傷付けることなく基材から取り外されることができる。テープ支持体は、長手方向に約１５０％〜約１２００％の破断点伸びを有し、少なくとも約１７．２ＭＰａ（２，５００ｐｓｉ）〜約５００ＭＰａ（７２，５００ｐｓｉ）のヤング率を有し、延伸して取り外した後の弾性回復は、約５０％未満である。
【０００５】
国際公開第９５／０６６９１号は、ポリマー発泡体の層、及び支持体の少なくとも１つの表面にコーティングされた感圧性接着剤の層などの支持体を含む、取り外し可能なフォーム接着テープを開示している。支持体の発泡体層の厚さは、約７６２〜２５４００マイクロメートル（約３０〜約１０００ミル）であり、支持体は、長手方向に約５０％〜約１２００％の破断点伸びを有し、約１６．５ＭＰａ（２，４００ｐｓｉ）未満のヤング率を有する。
【０００６】
従来の延伸剥離接着テープを使用するには、図１の従来技術で図示されるように、目に見えるプルタブの存在が伴うことがある。しばしば、この延伸剥離接着テープの特定部分の接着表面は、接着テープをプルタブとして提供するために、非接着性とされる（例えば、コーティングの塗布、フィルムの積層などによる）。
【０００７】
国際公開第９８／０６６５２号は、従来の片面接着テープの長尺方向の末端部に、プルタブ又は「グリッパー」を形成するのに使用できる、長さ切断器具を開示している。長さ切断器具はまた、テープの長尺をグリッパーなどの任意所望の長さに切断する。グリッパーは、テープの端部をテープの上に戻すように折り畳むことで形成される。
【０００８】
米国特許第５，４９１，０１２号（ルーマン（Luhmann）ら）は、再剥離接着接合における接着フィルムのストリップを開示しており、このストリップの１つの端部は、両面にＵＶ不透過被覆がコーティングされており、それと同時に、引っ張るためのタブとしても機能する。
【０００９】
米国特許第６，６４１，９１０号（ブリーズ（Bries）及びヨハンソン（Johansson））は、手で係合することが可能なプルタブを形成するのに使用できる分割されたライナーを備える延伸剥離テープを開示している。
【先行技術文献】
【特許文献】
【００１０】
【特許文献１】国際公開第９５／０６６９１号
【特許文献２】国際公開第９８／０６６５２号
【特許文献３】独国特許第３３３１０１６号
【特許文献４】米国特許第４，０２４，３１２号
【特許文献５】米国特許第５，４９１，０１２号
【特許文献６】米国特許第５，５１６，５８１号
【特許文献７】米国特許第６，６４１，９１０号
【発明の概要】
【課題を解決するための手段】
【００１１】
出願人は、対象物を一緒に接合するためのキット及び方法を開示している。しばしば、このような用途においては、細長い延伸剥離接着テープが使用される。かかる延伸剥離テープは、典型的には、テープの延伸剥離特性を活性化し、つまりはテープを取り外し、対象物と分離するために、ユーザーが把持して引っ張ることができる非接着部分（しばしばプルタブと呼ばれる）を含む。本明細書の出願人は、プルタブが目立たないか、部分的又は完全に隠れ得るという長所によって満足な外観をもたらすことができるキット及び方法を開示している。
【００１２】
出願人はまた、選択された場所で手で係合することができるプルタブを形成するために、単一のタブフィルムが接着し得る延伸剥離接着テープの細長いストリップを開示している。延伸剥離接着テープは、分離したストリップ、又は分離したストリップに分割することが可能なシート、若しくはロール形態でユーザーに供給されることが可能である。ロールが供給される場合、ユーザーは、ロールから任意所望の長さで分離したストリップに切断し、タブフィルムを使用して、ストリップ上の所望の場所（例えば、接着剤ストリップの終端部）でプルタブを形成することができる。
【００１３】
タブフィルムは、多くの個別の片として供給され、接着テープと一緒に、テープの接着表面と接触することなくパッケージ化され得る。接着テープがロールとして供給される場合、タブ片は、接着テープが巻き付けられる芯の上に配置されるか、芯の内部に配置され得るディスペンサー中にパッケージ化されることができる。又は、ディスペンサー自体が芯を含んでよく、例えば、タブフィルム片においてホルダー／ディスペンサー、並びに接着テープが巻き付けられる芯、の双方として機能する成形プラスチック片が使用され得る。
【００１４】
タブフィルム片は、延伸剥離テープの接着表面と強力に接合することができる接着表面を備えるフィルムから成り得る。このように構成することで、プルタブを形成するのに剥離ライナーの使用を伴う構成において、優れた接合力がもたらされる。
【００１５】
１つの実施形態では、タブを形成するため、タブフィルムの１つの主表面における１つの領域が、接着テープの細長い片における１つの主接着表面に付着して第１タブ／テープ接合領域を形成し、タブフィルム片の同じ主表面における他の領域が、テープにおける他の主接着表面に付着して第２タブ／テープ接合領域を形成する。１つの実施形態では、形成されたタブは、接着テープの細長い片の端縁部を越えて突出してよい。更なる実施形態では、タブは、タブ突出部の少なくとも一部分が、タブ／テープ接合領域の少なくとも一部分と重なり合う関係となるような折り畳まれた配置に動かすことができる。このような構成では、タブは、接合される対象物の背後に部分的又は完全に隠れ得る。他の実施形態では、タブは、タブ突出部分の一部分が、第１タブ／テープ接合領域の少なくとも一部分と重なり合う関係であり、タブ突出部分の他の部分が、第２タブ／テープ接合領域の少なくとも一部分と重なり合う関係となるように折り畳まれた配置に動かすことができる。他の実施形態では、タブを、伸長した配置に動かすことができる。更なる実施形態では、タブは、折り畳まれた状態と伸長した状態とに切り替えることができる。このような伸長可能かつ折り畳み可能なタブは、本明細書で定義されるような伸長率を示し得る。
【００１６】
したがって、出願人は、１つの態様において、突出したプルタブを備える多くの延伸剥離接着テープを提供するキットを開示しており、このキットは、対向する第１主表面及び第２主表面を有する延伸剥離テープの連続ロールであって、この両表面は接着剤を含み、この表面のうちの少なくとも１つは取り外し可能なライナーを支持する連続ロールと、複数の分離したタブフィルム片であって、タブフィルム片のそれぞれは、対向する第１主表面及び第２主表面を含み、この表面のうちの少なくとも１つは接着可能な表面であるタブフィルム片と、を含む。
【００１７】
したがって、出願人は、他の態様において、突出したプルタブを備える多くの延伸剥離接着テープを提供するキットを開示しており、このキットは、対向する第１主表面及び第２主表面を有する延伸剥離テープの連続ロールであって、この両表面は接着剤を含み、この表面のうちの少なくとも１つは取り外し可能なライナーを支持する連続ロールと、複数の分離したタブフィルム片であって、タブフィルム片のそれぞれは、対向する第１主表面及び第２主表面を含み、この表面のうちの少なくとも１つは接着可能な表面であり、接着テープの延伸剥離特性が、接着テープ自体のいかなる部分をも把持せずに、プルタブの突出部分を把持して引っ張ることによって活性化され得るように、プルタブ突出部を形成するために、延伸剥離接着テープの両主表面に付着することが可能であるタブフィルム片と、を含む。
【００１８】
様々な他の態様では、出願人は、テープの感圧性接着剤によって、プルタブを延伸剥離接着テープに付着することができるキット及び方法を開示している。接着テープの延伸剥離特性は、接着テープ自体のいかなる部分をも把持することなく、プルタブの突出部分を把持して引っ張ることで活性化され得る。つまりは、テープの接着表面とプルタブフィルム表面との間の接合を維持しながら、テープの接着表面と接合された対象物（単数又は複数）の接着表面との間の接合を破断するために、タブを引っ張ることで延伸剥離が活性化され得る。１つの実施形態では、プルタブを引っ張ることで、接合された対象物から接着テープを完全に剥離することができる。代替の実施形態では、接合された対象物から接着テープを部分的に剥離し、接着テープを部分的に延伸し、次に、ユーザーが、接着テープの剥離を終了するために、接着テープ自体を把持して引っ張ることができるように、接着テープの一部分が対象物の間から十分に突出するように、プルタブは引っ張られてよい。
【図面の簡単な説明】
【００１９】
【図１】従来技術の接合システムの正面図。
【図２】細長い延伸剥離接着テープの斜視図。
【図３】延伸剥離接着テープの分離したストリップの斜視図。
【図４】延伸剥離接着テープのロールの斜視図。
【図５】タブフィルムの個別の片を分配するための代表的なディスペンサーの斜視図。
【図６】延伸剥離接着テープのロールに取り付けられた代表的なタブフィルムディスペンサーの斜視図。
【図７】タブフィルム片及び細長い延伸剥離接着テープの斜視図。
【図８】細長い延伸剥離接着テープの端縁部に巻かれたタブフィルム片の斜視図。
【図９】細長い延伸剥離接着テープの側縁部に巻かれたタブフィルム片の斜視図。
【図１０】細長い延伸剥離接着テープの両主表面に付着された代表的な突出タブの側面図。
【図１１】代表的なタブを備えた細長い延伸剥離接着テープによって互いに接合している２つの対象物の側面図。
【図１２】代表的な折り畳まれた配置で突出したタブを備えた、細長い延伸剥離接着テープによって互いに接合している２つの対象物の側面図。
【図１３ａ】代表的な伸長した配置における突出したタブの側面図。
【図１３ｂ】代表的な伸長した配置における突出したタブの斜視図。
【図１４】代表的な折り畳まれた配置において突出したタブを備えた、細長い延伸剥離接着テープの側面図。
【図１５】代表的なＺ型に折り畳まれた配置における突出したタブを備えた、細長い延伸剥離接着テープの部分側面図。
【図１６】代表的な両面がＺ型に折り畳まれた配置における突出したタブを備えた、細長い延伸剥離接着テープの部分側面図。
【図１７】代表的な伸長した配置における突出したタブを備えた、細長い延伸剥離接着テープの側面図。
【発明を実施するための形態】
【００２０】
「最上部」、「底部」、「上部」、「下部」、「前部」、「後部」、並びに「第１」及び「第２」などの用語が本開示中で使用され得るが、これらの用語は相対的な意味においてのみ使用されることを理解すべきである。例えば、タブフィルムが延伸剥離物品の（２つの主表面のうちの）第１主表面に付着していると記載される際、特に指定がない場合、かかる第１表面は、２つの表面のうちのどちらであってもよい。また、図において、類似の参照番号は、全体を通して類似の特徴を示すために使用される。本明細書中の図面及び構成要素は、特に記されていない限り、縮尺どおりではない。
【００２１】
最初に、図２を参照すると、第１主表面１２、第２（対向）主表面１４、及び端縁部１６を含む終端部１５を含む、細長い延伸剥離接着テープを含む物品１０が示されている。図３に示される実施形態では、物品１０は、第２端部２０を備えた分離した長さ１８で提供される。代替の実施形態（図示せず）では、延伸剥離接着テープ材料は、個別の物品１０に分離することができる連続シートの形態で提供される。更に他の実施形態では、延伸剥離接着テープ材料は、第２端部２０がロールの内端にあるようなロール２２（図４に示されるように）の形態で提供される。したがってこの実施形態では、延伸剥離接着テープは、最終用途に応じて、選択された長さの多くのストリップが切断され得る、不定長を有する細長いストリップとして提供されることができる。
【００２２】
延伸剥離接着テープ１０は、第１主表面１２及び第２主表面上１４に接着剤を含む。接着剤は、基材にしっかりと接着し、その後、テープを延伸することで取り外せる感圧性接着剤を含むことが可能である。したがって延伸剥離接着テープは、感圧性接着剤を表面上に配置（例えば、コーティング）した、弾性の支持体又は伸長性が高く実質的に非弾性の支持体を含むことができる。又は、テープは固体であって弾性の感圧性接着剤から形成されてよい。したがって本文中、用語「テープ」には、一体型、内蔵型、又は固体構成の接着剤を含む製品（その上に接着剤がある別個の層に備える支持体を含む製品に加えて）を包含する。好適な延伸剥離テープは、米国特許第４，０２４，３１２号（コープマン（Korpman））、独国特許第３３３１０１６号、米国特許第５，５１６，５８１号（クレッケル（Kreckel）他）、及び国際公開第９５／０６６９１号（ブリース（Bries）ら）に記載されている。
【００２３】
接着表面１２及び１４の片面又は両面は、ライナー（即ち、ここでは剥離ライナー）が供給され得る。ライナー（図２〜４において図示せず）は、任意の従来の容易に取り外し可能なライナーであってよい。典型的なライナーは、例えば、紙、又はポリエチレン、ポリプロピレン若しくはポリエステルのような高分子フィルムから形成され、シリコーン、フッ素性化学物質、又は、表面を実質的に非接着性とする従来の既知の被覆剤（例えば、低接着性バックサイズとして当該技術分野において既知である被覆剤）などの剥離剤でコーティングされる、支持体を含む。ライナーとしてしばしば好ましいのは、シリコーンがコーティングされた紙である。延伸剥離接着テープの長さがロールを含む場合、ライナーの一方の面が接着表面１２に接触し、もう一方の面が接着表面１４に接触するように、両主表面に剥離剤が存在するライナーが、延伸剥離接着テープと共に使用されることが多い。このような場合、１つの剥離ライナーだけを使用する必要がある。存在するのであれば、かかるライナーは、典型的には、延伸剥離接着テープが使用される際に取り外される。
【００２４】
タブフィルム３０（図５〜８で示されるように）もまた、本明細書中で開示される。タブフィルム３０は、少なくとも１つの接着可能な表面を備え、有用なタブを形成するのに十分な強度を有する任意のフィルム材料を含むことができる。接着可能な表面は、概して、タブフィルムを感圧性接着剤から取り外すことができないか、タブフィルムの接着可能な表面、タブフィルム材料、延伸剥離テープの感圧性接着剤、又は（存在するのであれば）延伸剥離テープの弾性支持材を傷付けることなく取り外すことができないように、感圧性接着剤（典型的には、延伸剥離接着テープに使用されるものなどであって、例えば、米国特許第５，５１６，５８１号（クレッケル（Kreckel）他）に、更に詳しく記載される）と接合することができる表面を指す。このような接着可能な表面は、上述するような剥離ライナーを含まない任意の表面を含んでよい。つまり、接着可能な表面は、剥離剤コーティング、低接着性バックサイズ、シリコーン又はシリコーン含有物質、フッ素化又はフッ素含有物質、などのような処理剤又は成分を含まない表面を指す。タブフィルムに有用な材料の代表的な例としては、高密度ポリエチレン、低密度ポリエチレン、線状低密度ポリエチレン及び線状超低密度ポリエチレンなどのポリエチレン、ポリプロピレン、及びポリブチレンなどのポリオレフィン、可塑化及び非可塑化ポリ塩化ビニルの双方、及びポリ酢酸ビニルのようなビニルコポリマー、エチレン／メタクリレートコポリマー、エチレンビニルアセテートコポリマー、アクリロニトリル−ブタジエン−スチレンコポリマー、及びエチレン／プロピレンコポリマーのようなオレフィンコポリマー、アクリルポリマー及びコポリマー、並びに前述の組み合わせが挙げられる。ポリエステル系材料（例えば、ポリ（エチレンテレフタレート）、ポリ（ブチレンテレフタレート）など）も使用してよい。ポリプロピレン／ポリエチレン、ポリウレタン／ポリオレフィン、ポリウレタン／ポリカーボネート、ポリウレタン／ポリエステルのような任意の可塑性、又は可塑性及び弾性材料の混合物又はブレンドも使用してよい。セルロース系フィルム（例えば、紙、セロファンなど）も使用してよい。タブフィルムは、例えば、炭酸カルシウム充填ポリオレフィンのような充填フィルムなどの充填材料から調製されてもよい。タブフィルムは、例えば、押出成形法、共押出成形法、溶媒流延法などのような任意既知のフィルム形成法によって作製されてよい。多くの用途において、クリアフィルムが好ましいであろう。
【００２５】
タブフィルム材料は、タブフィルム材料から形成されるタブ（後述）を把持して引っ張る際に破断又は裂けないように、十分な厚さと強度を有するべきである。つまり、タブフィルム３０は、延伸剥離接着テープの延伸剥離特性を活性化するのに使用される力に耐えられなければならない。様々な実施形態では、タブフィルムの厚さは、少なくとも１２マイクロメートルであり得る。しかしながら、タブフィルムは、取り扱いが難しくなるほど厚過ぎるべきではない。様々な実施形態では、タブフィルムの厚さは、最大で約７５マイクロメートル又は１５０マイクロメートルである。
【００２６】
タブフィルム材料の接着表面は、延伸剥離接着テープの接着表面に接着する能力を改善するように処理されてよい。例えば、コロナ放電、プラズマ放電、火炎処理、電子ビーム放射、紫外線放射、化学蒸着、酸エッチング、又は化学プライミングが使用されてよい。１つの実施形態では、感圧性接着剤は、接着性を改善するために、タブフィルムの接着可能な表面に配置される。
【００２７】
本明細書で定義されるように、タブフィルムの他の表面は、接着可能である必要はない。しかしながら、この他の表面は、ユーザーが容易に把持できるようでなければならず、把持性能を向上するための処理（粗面など）を含んでよい。所望であれば、本明細書で詳しく後述されるように、他の処理が使用されてよい。
【００２８】
様々な実施形態では、接着可能な表面と把持可能な表面のいずれか又は双方は、その表面の異なる領域に異なる特性をもたらすために、例えば、ストライプ状コーティング、模様状コーティングなどによって特定の領域が処理されてよい。例えば、より接着特性の高い領域（プライミング又は接着剤のコーティングなどによって達成される）が提供され得る。この代わり、又はこれに加えて、より接着特性の低い領域（剥離剤をコーティングすることで達成される）が提供され得る。
【００２９】
様々な実施形態では、タブフィルム３０は、延伸剥離接着テープと共にキット内に提供され得る。タブフィルムは、分離片、又は、分離片が剥離され得るロール形態として存在してよい。分離片として提供される際、タブフィルム３０の１つの片は、タブフィルム３０の１つの片が使用の際に取りはずせるように、例えば、図５に示されるような代表的なポップアップディスペンサー８０のようなディスペンサー中にパッケージ化されることができる。図６に示されるように、延伸剥離テープのロール２２と組み合わせて使用する際、タブディスペンサー８０は、延伸剥離接着テープのロール２２に取り付けることができる。
【００３０】
図７を参照すると、１つの実施形態では、細長い延伸剥離テープ１０が提供される。接着領域３６は、接着テープの第１主表面１２の少なくとも終端部１５で提供される（ライナーが存在する場合、少なくとも接着領域３６が露出するように取り外される）。タブフィルム３０の１つの片が提供される。タブフィルム３０の接着可能な表面３２の第１領域３４は、タブ／テープ接合領域３８（図８に図示される）を形成するために、領域３６と接触し、接着される。次に、タブフィルム３０は、接着テープの終端部１５に巻き付けられる。１つの実施形態では、タブフィルムは、図８において代表的な方法で示されるように、細長い延伸剥離接着テープと平行な方向に巻かれる（例えば、テープの終端部１５の端縁部１６に巻き付けられる）。代替の実施形態では、タブフィルムは、図９において代表的な方法で示されるように、細長い延伸剥離接着テープと垂直な方向に巻かれる（例えば、テープの側縁部に巻き付けられる）。接着領域４２は、接着テープの第２主表面１４の少なくとも終端部で提供される（また、存在するのであれば、ライナーはこの領域が露出するように取り外される）。タブフィルムの接着可能な表面３２の第２領域４０は、タブ／テープ接合領域３９を形成するために、接着領域４２と接触し、接着される（図１０に図示される）。様々な実施形態では、接合領域３８及び３９はそれぞれ、接着テープの端縁部１６から細長いテープに沿って、少なくとも４、８又は１２ｍｍの距離で存在している。
【００３１】
図１０を参照すると、方法は、細長い接着テープ１０の終端部１５でタブ５０を提供する。タブ５０は、タブ／テープ接合領域３８及び３９を介して延伸剥離接着テープに付着される。図１０に示される実施形態では、タブは、テープの終端部１５の端縁部１６を越えて突出する。しかしながら、代替の実施形態では、タブは、端縁部１６を越えて突出しないように配置され得る。様々な実施形態では、タブは、以下で詳しく議論されるように、折り畳まれた配置、及び／又は伸長した配置に動かすことができ、２つの配置の間で互換可能であり得る。
【００３２】
細長い延伸剥離接着テープ１０は、２つの対象物を一緒に接合するために使用されることができる。１つの実施形態では、図１１に示されるように、タブフィルムは、対象物６０及び６２が一緒に接合された後に、伸長した配置を含む。したがって、例えば、タブ５０の部分５４は、対象物６２の縁部を越えて目に見えて突出してよい。１つの実施形態では、タブは目立たないように透明な材料で作製される。他の実施形態では、キットは、異なる色の多くのタブフィルム片（例えば、延伸剥離接着テープのロールを伴うディスペンサーの中にパッケージ化される）が備わっている。したがってこの実施形態では、様々な異なる色のタブフィルムから、接合される対象物の隣接する表面（例えば、対象物６０の表面６３）と最もよく合う色が選択されてよい。
【００３３】
他の実施形態では、図１２に示されるように、タブ５０は、タブ突出部分５４の少なくとも一部分が、タブ／テープ接合領域３８（又は３９）の少なくとも一部分と重なり合う関係となるように、折り畳まれた配置に動かすことができる。これによって、突出部分５４の少なくとも一部分が、部分的又は完全に対象物６２の背後に隠れることが可能となる。１つの実施形態では、タブ／テープ接合領域３８は、タブフィルムの突出部分がテープの接着表面１４と接触することなく折り畳まれることができるように、寸法化され、配置される。代替の実施形態では、以下で詳しく説明されるように、タブ／テープ接合領域３８は、タブの突出部分の少なくとも一部分が、接着表面１４の少なくとも一部分と接触するように折り畳まれるように、寸法化され、配置される。
【００３４】
タブ突出部分５４は、延伸剥離接着テープを対象物６０及び６２を一緒に接合するのに使用される前に、折り畳まれた配置に置かれることが可能である。あるいは、突出部分５４が、接合領域３９（又は３８）と対象物６０（又は６２）との間の空隙中に折り畳まれた後に、対象物が一緒に接合されることが可能である。
【００３５】
この実施形態では、タブの折り畳まれた部分は、延伸剥離接着テープを活性化して、対象物６０及び６２を剥離することが望まれるまで、部分的又は完全に隠れたままでいることができる。その時には、タブを広げ（所望であれば、この作業には、ワイヤ、広げられたペーパークリップ、爪楊枝などの小さい道具が使用されてもよい）、接着テープの延伸剥離特性を活性化するために、ユーザーがタブを把持し、引っ張ることができるような伸長した配置に動かすことができる。１つの実施形態では、タブが伸長した配置にある際、ユーザーは、延伸剥離接着テープ自体のいかなる部分をも把持し、引っ張ることなく、テープの延伸剥離特性を活性化するために、タブの突出部分を把持し、引っ張ることができる。
【００３６】
伸長した配置とは、概して、タブフィルム部分３３及び３５がごく近接するか、接触する（図１３ａ及び１３ｂに代表的な方法が示されるように）ほぼ平面的な構成を含むように、タブの突出部分を配置するような配置を表す。そのように伸長される際、テープ端縁部１６から最も離れた地点（本明細書で議論される他の測定された距離と同様に、テープの細長い方向に対して平行な方向で測定される）は、地点５２を含み、様々な実施形態において、接着テープの端縁部１６を少なくとも約１０又は１５ｍｍ超えてよい。様々な実施形態では、地点５２は、端縁部１６を最大で約３０又は４０ｍｍ超えてよい。１つの実施形態では、細長い方向に対して平行な方向で、タブフィルムがテープの終端部に巻き付く場合、最も離れた地点５２は、タブフィルムの連続している部分である（及び、図１３ｂに示され、以下で詳しく議論されるように、折り目５３を含んでよい）。代替の実施形態では、細長い延伸剥離接着テープに対して垂直な方向で、タブフィルムがテープの終端部に巻き付く場合（図９に示すように）、最も離れた地点は、タブフィルムの縁部３３によって形成され得る。
【００３７】
１つの実施形態では、端縁部１６から最も離れた地点５２までの完全に伸長した距離（即ち、図１３ａにおける距離β）が、テープ端縁部１６からタブ／テープ接合領域３８の縁部３７までの距離より短い（及び／又は、テープ端縁部１６からタブ／テープ接合領域３９の縁部３６までの距離より短い）ように、タブを寸法化し、配置することができる。この実施形態では、タブが折り畳まれる際（図１４に示されるなどのように）、タブフィルムの把持可能な表面３１は、接着表面１２又は１４と接触しない。
【００３８】
代替の実施形態では、端縁部１６から最も離れた地点５２までの完全に伸長した距離（即ち、図１３ａにおける距離β）が、テープ端縁部１６からタブ／テープ接合領域３８の縁部３７までの距離より長い（及び／又は、テープ端縁部１６からタブ／テープ接合領域３９の縁部３６までの距離より長い）ように、タブを寸法化し、配置することができる。この実施形態では、タブが折り畳まれる際、タブの表面３１は、接着表面１２又は１４の少なくとも一部分と接触して置かれ得る。このような構成は、タブを開くのが望ましい時点に至るまで、タブを接着剤によって折り畳まれた配置に維持するのが望ましい環境において有利であり得る。したがって、タブの突出部分の領域が、折り畳まれた配置においてタブを維持するのには十分に大きいが、タブが接着表面１２又は１４から正常に剥離し、開くのには十分に小さい接着表面１２又は１４の領域と接触するように、タブを寸法化し、配置してよい。様々な実施形態では、タブ／接着剤重複領域が、細長いテープに沿って、タブ／テープ接合領域の縁部３７又は縁部３６から少なくとも約２、４又は６ｍｍの距離で存在するように、タブを寸法化し、配置してよい。代替の実施形態では、タブ／接着剤重複領域が、細長いテープに沿って、タブ／テープ接合領域の縁部３７又は縁部３６から最大で１４、１２又は１０ｍｍの距離で存在するように、タブを寸法化し、配置してよい。更なる様々な実施形態では、折り畳まれたタブが接着表面に接着されるのが可能であるが、後に剥離するのが可能であるように、所望の特性のバランスを達成するために、タブフィルムの表面３１における少なくともいくつかの部分は、処理（例えば、接着力を上昇させるためのプライミング処理、又は接着力を減少させるための低エネルギー処理）が行われてよい。このような処理は、タブフィルム表面３１の全体に適用されるか、指定領域に適用されてよい。
【００３９】
代替の実施形態では、タブ表面３１の少なくとも一部分は接着剤（例えば、感圧性接着剤）を含んでよい。１つの実施形態では、タブ５０の突出部分中にある表面３１の一部分は、タブ／テープ接合領域３８又は３９中にある表面３１の一部分と接合可能であるために、接着剤を含むことができる。あるいは、タブ／テープ接合領域３８又は３９中にある表面３１の一部分は、タブ５０の突出部分中にある表面３１の一部分と接合可能であるために、接着剤を含むことができる。接着剤の量は、選択可能（例えば、模様状コーティング又はストライプ状コーティングによって）であり、及び／又は、接着剤組成物は、所望の接合力を有し、タブを開くのが望ましい時点に至るまで、タブを折り畳まれた配置で保持するのが可能であるように選択可能である。
【００４０】
折り畳まれた配置とは、概して、タブ突出部分の少なくとも一部分が、タブ／テープ接合領域３８又は３９の少なくとも一部分と重なり合う関係である（代表的な方法が図１４に図示される）ように、タブの突出部分を配置する場合の配置を示す。そのように折り畳まれる際、テープ端縁部から最も離れた地点は、地点５５を含む。
【００４１】
図１３ａ及び１４に示されるように、伸長率は、伸長された際にタブが突出した距離（図１３ａの、テープ端縁部１６から最も離れた地点５２までの距離β）に対する、タブが折り畳まれた際にタブが突出した距離（図１４の、テープ端縁部１６から最も離れた距離５５までの距離α）の比率として定義することができる。様々な実施形態では、この伸長率β／αは、少なくとも３、５、又は７であることができる。
【００４２】
様々な実施形態では、タブフィルム片は、タブを折り畳まれた配置に容易に動かし、及び／若しくはその配置を保持するため、タブを伸長した配置に容易に動かし、及び／若しくはその配置を保持するため、又はその双方のため、１つ又は複数の折り目を含む。このような折り目は、優先的に線状領域に沿ってタブフィルムが折り畳まれる傾向を有するタブフィルムを提供するために、タブフィルム材料を処理（例えば、脆弱化、穿孔化、削磨化など）した線状領域を含んでよい。又は、このような折り目は、特定の方向において、優先的に線状領域に沿ってタブフィルムが折り畳まれる傾向を有するタブフィルムを提供するために、タブフィルム材料を付勢（折り畳むか、しわをつけるなど）した線状領域を含んでよい。１つの実施形態では、このような折り目は、細長い延伸剥離物品（図１３ｂの折り目５３によって例示される）の横方向に配向されるように、タブフィルムの短軸と平行に配向される。
【００４３】
１つの実施形態では、前述されるように、タブフィルムは、タブが伸長した配置に置かれる際、折り目５３が、（図１３ｂで示されるように）最も離れた地点５２で自然に形成されるような折り目を含んでよい。他の実施形態では、タブがＺ型に折り畳まれた配置に置かれるように、多くの折り目がタブフィルム中に提供される。Ｚ型に折り畳むことが可能な代表的なタブは、図１５に示され、ユーザーによって、タブフィルムの少なくとも一部分６６をタブとテープとの接合領域３８と重なり合う関係に置くことが可能となる（少なくとも）２つの折り目６４及び６５を有する。１つの実施形態では、折り目６４及び６５は、対向して付勢されている。
【００４４】
他の実施形態では、伸長した物品１０の方向において、タブ／テープ接合領域３８が部分６６よりも広くなるように、適切にタブフィルムを寸法化し、配置し、並びに、折り目を配置し、間隔を空けている。この実施形態では、タブがＺ型に折り畳まれる際（図１５で示されるように）、タブは接着表面１２と接触する可能性は低い。同様に、１つの実施形態では、折り目６４は、接着表面１２が露出しないように、端縁部１６と揃うように配置される。代替の実施形態では、伸長した物品１０の方向において、タブ／テープ接合領域３８が部分６６よりも狭くなり、タブ部分６６が接着表面１２少なくとも一部分と接触して置かれ得るように、適切にタブフィルムを寸法化し、配置し、並びに、折り目を配置し、間隔を空けている。上述されるように、このような構成は、タブを開くのが望ましい時点に至るまで、接着剤によって、タブを折り畳まれた配置で保持するのが望ましい環境で有利である。
【００４５】
更なる実施形態が、図１６で示される。この、２つのＺ型に折り畳まれた配列では、少なくとも４つの折り目（図１５で参照して述べられた折り目６４及び６５、並びに、同様の効果を有し、延伸剥離物品の側面に対向してＺ型に折り畳むできるように同様の２つの折り目７４及び７５）が提供される。様々な実施形態では、折り目７４及び７５は、対向して付勢され、また、同様の効果を有する折り目６４及び６５に関して前述したのと同じ方法で間隔を空けて配置されてよい。２つのＺ型に折り畳まれる構成を提供する折り目に加えて、上述されるように、任意で、更なる折り目５３を最大に伸長した配置で置くことができる。
【００４６】
図１６に示されるように、タブ５０は、タブが、αの距離突出するように、２つのＺ型に折り畳まれた配置に置かれることができる（これは、延伸剥離接着テープが対象物６０及び６２のうちの１つ又は双方と接合した後でよいが、好ましくは、延伸剥離接着テープが対象物のどちらかと接合する前に、タブは折り畳まれる）。図１７に示されるように、延伸剥離が活性化されるのが望ましい際、タブは、タブがβの距離突出するように、伸長した配置まで広げられ、動かされる（上述したように）ことができる。このような２つのＺ型に折り畳まれる設計によって、本明細書において上で規定されたように、タブに高い伸長率がもたらされることが可能となる。様々な実施形態では、この伸長率は、少なくとも３、５、又は７であることができる。
【００４７】
本明細書で記載するような折り目は、ユーザーが、迅速かつ容易にタブを折り畳まれた構成に置き、迅速かつ容易にそのタブの構成を伸長した配置に変更する、既存の能力を提供する。様々な実施形態では、タブフィルムには、少なくとも１、２、３、４、又は５個の折り目が供給されることができる。様々な実施形態では、キットは、事前に折り畳まれるか、Ｚ型又は２つのＺ型に折り畳まれた構成であるタブフィルム片に沿って、延伸剥離接着テープを含んで供給されることができるタブフィルム片は、これらの任意の構成でディスペンサー中にパッケージ化されてよい。あるいは、タブフィルム片は、折り畳まれてはいない（例えば、平坦である）が、ユーザーによって、容易にタブフィルム片を折り畳むことが可能であるような折り目を備えて供給されることができる。
【００４８】
１つの実施形態では、細長い延伸剥離接着テープは、タブを終端部の１つ又は双方で付着することができる分離したストリップとして提供される。したがって１つ又は複数のタブの形成後、延伸剥離接着テープ物品は、２つの対象物を共に接合するのに使用される準備ができている。代替の実施形態では、タブが付着される際、細長い部分がロールの一部分である場合、細長い部分が、使用するためにロールから剥離される（その後、所望であれば、第２タブが他の端部に付着されてよい）。最大限の柔軟性を示すために、ロールは、任意所望の長さの細長い片で切断できるように提供され得る。あるいは、細長い部分を破断して剥離するように、脆弱化した線（即ち、刻み目、穿孔など）を延伸剥離接着テープの幅にわたって横方向に定期的に提供することが可能である。
【００４９】
本発明の多数の実施形態を記載してきた。いずれにしても、本発明から逸脱することなく様々な修正を行ってもよいことが理解されるであろう。したがって、その他の実施形態も、以下の特許請求の範囲の範疇にある。
【図１】
2010531916.tif 000003
【図２】
2010531916.tif 000004
【図３】
2010531916.tif 000005
【図４】
2010531916.tif 000006
【図５】
2010531916.tif 000007
【図６】
2010531916.tif 000008
【図７】
2010531916.tif 000009
【図８】
2010531916.tif 000010
【図９】
2010531916.tif 000011
【図１０】
2010531916.tif 000012
【図１１】
2010531916.tif 000013
【図１２】
2010531916.tif 000014
【図１３ａ】
2010531916.tif 000015
【図１３ｂ】
2010531916.tif 000016
【図１４】
2010531916.tif 000017
【図１５】
2010531916.tif 000018
【図１６】
2010531916.tif 000019
【図１７】
2010531916.tif 000020
【国際調査報告】
2010531916.tif 000021
2010531916.tif 000022